(57)【要約】【課題】ユーザによる所望の機能の選択を容易化する。【解決手段】電子機器（１０）の表面が、卓上ホルダ（２０）の正面側に向いている状態か、または卓上ホルダ（２０）の背面側に向いている状態かを検知する面判定部（４１）と、電子機器（１０）の表面が、卓上ホルダ（２０）の正面側に向いている状態のとき、第１の機能を発揮させ、電子機器（１０）の表面が、卓上ホルダ（２０）の背面側に向いている状態のとき、第２の機能を発揮させるモード切替部（４２）と、を備える。【選択図】図１
2020065405.tif 000002
【特許請求の範囲】
【請求項１】
ホルダに設けられたリバーシブルなプラグコネクタに接続されるリバーシブルなレセプタクルコネクタ、および制御装置を備えた電子機器であって、
制御装置は、
上記レセプタクルコネクタが上記プラグコネクタに接続された場合に、
上記電子機器の表面が、上記ホルダの正面側に向いている状態か、または上記ホルダの背面側に向いている状態かを検知し、
上記電子機器の表面が上記ホルダの正面側に向いている状態のとき、上記電子機器に第１の機能を発揮させ、
上記電子機器の表面が上記ホルダの背面側に向いている状態のとき、上記電子機器に第２の機能を発揮させることを特徴とする電子機器。
【請求項２】
上記制御装置は、
上記レセプタクルコネクタの端子群と、上記プラグコネクタの端子群との接続状態を参照して、上記電子機器の表面が、上記ホルダの正面側に向いている状態か、または上記ホルダの背面側に向いている状態かを判別することを特徴とする請求項１に記載の電子機器。
【請求項３】
上記電子機器は、上記電子機器の表面が、上記ホルダの正面側に向いている状態か、または上記ホルダの背面側に向いている状態かを検知する検知装置を備えており、
上記制御装置は、
上記検知装置の検知結果を参照して、上記電子機器の表面が、上記ホルダの正面側に向いている状態か、または上記ホルダの背面側に向いている状態かを判別することを特徴とする請求項１に記載の電子機器。
【請求項４】
上記電子機器が記憶部を備えており、
上記制御装置は、
上記レセプタクルコネクタが上記プラグコネクタに接続された場合に、
上記記憶部に、
上記電子機器の表面が上記ホルダの正面側に向いている状態と上記第１の機能に係る情報とを対応付けて記憶させ、
上記電子機器の表面が上記ホルダの背面側に向いている状態と上記第２の機能に係る情報とを対応付けて記録させることを特徴とする請求項１から３までの何れか１項に記載の電子機器。
【請求項５】
請求項１から４までの何れか１項に記載の電子機器と、上記ホルダとを含むことを特徴とする電子機器の機能切替システム。
【請求項６】
ホルダに設けられたリバーシブルなプラグコネクタに接続されるリバーシブルなレセプタクルコネクタを備えた電子機器の制御装置であって、
上記レセプタクルコネクタが上記プラグコネクタに接続された場合に、
上記電子機器の表面が、上記ホルダの正面側に向いている状態か、または上記ホルダの背面側に向いている状態かを検知する状態検知部と、
上記電子機器の表面が上記ホルダの正面側に向いている状態のとき、上記電子機器に第１の機能を発揮させ、
上記電子機器の表面が上記ホルダの背面側に向いている状態のとき、上記電子機器に第２の機能を発揮させる機能切替部と、を備えることを特徴とする制御装置。
【請求項７】
請求項６に記載の制御装置としてコンピュータを機能させるための制御プログラムであって、上記状態検知部、および上記機能切替部としてコンピュータを機能させるための制御プログラム。
【発明の詳細な説明】
【技術分野】
【０００１】
本発明は、電子機器、該電子機器の制御装置、制御プログラム、および電子機器の機能切替システムに関する。
【背景技術】
【０００２】
充電ホルダやクレードルとも呼ばれるこの種の充電台は、電子機器を取り外し可能に受容（支持）する筐体と、筐体に内蔵され、給電・充電回路が搭載された回路基板とを有している。なお、充電台における給電・充電回路への電源供給は、筐体に内蔵された電源回路からなされるか、あるいは、充電台とは別体に用意されたＡＣアダプタ、ＤＣアダプタ、もしくは、パーソナルコンピュータに接続されたＵＳＢ（Universal Serial Bus）ケーブル等から、コネクタを介してなされるようになっている。
【０００３】
特許文献１には、ケーブルの接続をケーブルの接点端子面の表面または裏面の何れでも受け付け可能なリバーシブルコネクタを備えた電子機器が開示されている。この電子機器は、ケーブルとリバーシブルコネクタが表面で接続されているか裏面で接続されているかを検出し、検出結果に応じて、リバーシブルコネクタが表面で接続されている場合に第１の機能（急速充電）を動作させ、裏面で接続されている場合に第２の機能（通常の充電）を動作させるようになっている。
【先行技術文献】
【特許文献】
【０００４】
【特許文献１】特開２０１６−２２０４２２号公報（２０１６年１２月２２日公開）
【発明の概要】
【発明が解決しようとする課題】
【０００５】
しかしながら、上記従来技術では、リバーシブルコネクタに接続するケーブルを電子機器に接続する際、第１の機能または第２の機能に応じて、ケーブルの接点に予め設けたマーキングによりユーザが表面または裏面を識別して接続する必要があるという問題点があった。
【０００６】
本発明の一態様は、上記問題点に鑑みて為されたものであり、ホルダに対する電子機器の装着態様を変えるだけで、容易にユーザに所望の機能を選択させることができる電子機器などを実現することを目的とする。
【課題を解決するための手段】
【０００７】
上記の課題を解決するために、本発明の一態様に係る電子機器は、ホルダに設けられたリバーシブルなプラグコネクタに接続されるリバーシブルなレセプタクルコネクタ、および制御装置を備えた電子機器であって、制御装置は、上記レセプタクルコネクタが上記プラグコネクタに接続された場合に、上記電子機器の表面が、上記ホルダの正面側に向いている状態か、または上記ホルダの背面側に向いている状態かを検知し、上記電子機器の表面が上記ホルダの正面側に向いている状態のとき、上記電子機器に第１の機能を発揮させ、上記電子機器の表面が上記ホルダの背面側に向いている状態のとき、上記電子機器に第２の機能を発揮させる構成である。
【０００８】
上記の課題を解決するために、本発明の一態様に係る電子機器の制御装置は、ホルダに設けられたリバーシブルなプラグコネクタに接続されるリバーシブルなレセプタクルコネクタを備えた電子機器の制御装置であって、上記レセプタクルコネクタが上記プラグコネクタに接続された場合に、上記電子機器の表面が、上記ホルダの正面側に向いている状態か、または上記ホルダの背面側に向いている状態かを検知する状態検知部と、上記電子機器の表面が上記ホルダの正面側に向いている状態のとき、上記電子機器に第１の機能を発揮させ、上記電子機器の表面が上記ホルダの背面側に向いている状態のとき、上記電子機器に第２の機能を発揮させる機能切替部と、を備える構成である。
【発明の効果】
【０００９】
本発明の一態様によれば、ホルダに対する電子機器の装着態様を変えるだけで、容易にユーザに所望の機能を選択させることができるという効果を奏する。
【図面の簡単な説明】
【００１０】
【図１】本発明の実施の一形態に係る機能切替システムの構成を示すブロック図である。
【図２】卓上ホルダに電子機器を装着するときの状態を説明するための図である。
【図３】電子機器の外観構成を示す図である。
【図４】プラグコネクタおよびレセプタクルコネクタのそれぞれにおける端子群（コネクタピン）の配置を示す図である。
【図５】電子機器の表面および裏面装着時における、ＡＣ充電器、ケーブル、卓上ホルダ、および電子機器の接続状態を示す接続図である。
【図６】電子機器の裏面の機能の有効無効の設定入力の流れを示すフローチャートである。
【図７】電子機器を卓上ホルダに装着して電子機器の表面の機能を設定するときの流れを示すフローチャートである。
【図８】電子機器を卓上ホルダに装着したときの動作の流れを示すフローチャートである。
【発明を実施するための形態】
【００１１】
以下で説明する本発明の実施形態を具現化する電子機器１０（例えば、携帯電話）では、電子機器１０の表面を卓上ホルダ（ホルダ）２０の正面側に向けて設置した場合に、電子機器１０に第１の機能を発揮させ、電子機器１０の裏面を卓上ホルダ２０の正面側に向けて設置した場合に、電子機器１０に第２の機能を発揮させる点が重要である。
【００１２】
〔機能切替システムについて〕
以下、図１に示すブロック図に基づき、本発明の実施の一形態に係る機能切替システム１００について説明する。機能切替システム１００は、例えば、電子機器１０の表面を卓上ホルダ２０の正面側に向けて設置した場合に、電子機器１０に第１の機能を発揮させ、電子機器１０の裏面を卓上ホルダ２０の正面側に向けて設置した場合に、電子機器１０に第２の機能を発揮させるシステムである。
【００１３】
図１に示すように、機能切替システム１００は、電子機器１０、卓上ホルダ２０およびＡＣ充電器３０を含む。
【００１４】
電子機器１０の例としては、スマートホン、携帯電話機、タブレット端末（電子書籍端末を含む）、ノートパソコン、および携帯型ゲーム機などを例示することができる。
【００１５】
卓上ホルダ２０は、充電ホルダやクレードルとも呼ばれる充電台の一例であり、ホルダは、卓上に設置されるものに限定されない。
【００１６】
電子機器１０は、後述する第１の機能に係る表面側の表面ＵＩ（ユーザインタフェース）部、後述する第２の機能に係る裏面側の裏面ＵＩ部、無線通信装置２、記憶装置３、レセプタクルコネクタ（リバーシブルコネクタ）４、および音声処理装置１８を備える。
【００１７】
表面ＵＩ部は、表示装置１１、電源装置１２、近接・照度センサ１３、表カメラ１４、物理操作キー表面１５、下マイク１６およびレシーバ１７を備える。表示装置１１は、ディスプレイ１１ａ、およびタッチパネル１１ｂを備える。表カメラ１４は、電子機器１０の表面側に配置されているカメラである。また、物理操作キー表面１５は、電子機器１０の表面側に配置されている物理操作キーである。下マイク１６は、電子機器の下部に配置されているマイクである。
【００１８】
裏面ＵＩ部は、焦電型赤外線センサ５、裏カメラ６、物理操作キー裏面７、上マイク８、およびスピーカ９を備える。裏カメラ６は、電子機器１０の裏面側に配置されているカメラである。物理操作キー裏面７は、電子機器１０の裏面側に配置されている物理操作キーである。上マイク８は、電子機器の上部に配置されているマイクである。
【００１９】
無線通信装置２は、外部の通信網を介して他の通信装置と無線通信を行うものである。記憶装置３は、電子機器１０を機能させるためのプログラムおよびデータを格納している。また、例えば無線通信装置２が受信したメール等のデータや、電子機器１０のユーザが記録した電話番号やメールアドレス等のデータも記憶装置３に格納されるようになっている。なお、記憶装置３には、その他、電子機器１０の表面が卓上ホルダ２０の正面側に向いている状態と上記第１の機能に係る情報とが対応付けて格納される。また、記憶装置３には、電子機器１０の表面が卓上ホルダ２０の背面側に向いている状態と上記第２の機能に係る情報とが対応付けて格納される。
【００２０】
次に、音声処理装置１８は、上マイク８または下マイク１６で取得した音声信号を音声情報に変換して制御装置１に送る。また、音声処理装置１８は、音声情報を音声信号に変換してスピーカ９に送る。
【００２１】
制御装置１は、（コンフィグレーション）面判定部（状態検知部）４１、およびモード切替部（機能切替部）４２を備える。
【００２２】
面判定部４１は、電子機器１０の表面が、卓上ホルダ２０の正面側に向いている状態か、または卓上ホルダ２０の背面側に向いている状態かを検知（判別）する。
【００２３】
なお、面判定部４１は、レセプタクルコネクタ４の端子群と、プラグコネクタ２２の端子群との接続状態を参照して、電子機器１０の表面が、卓上ホルダ２０の正面側に向いている状態か、または卓上ホルダ２０の背面側に向いている状態かを判別しても良い。
【００２４】
例えば、後述するようにＴｙｐｅ−Ｃのコンフィギュレーションチャンネル端子（ＣＣ端子）を用いることができる。
【００２５】
また、Ｔｙｐｅ−Ｃ規格では、ＵＳＢ２．０規格に基づく通信を行う機能と、より高速な通信を行うＵＳＢ３．１規格に基づく通信を行う機能が用意されている。ＵＳＢ２．０用の信号端子のみを使用している電子機器では、ＵＳＢ３．１用の信号端子は利用されておらず、ＵＳＢ  Ｔｙｐｅ−Ｃの規格からは外れてしまうが、これらの空き端子を用いて電子機器１０の表裏を判別しても良い。
【００２６】
空き端子の例としては、ＵＳＢ３．１用の信号端子、Ｔｘ１＋／Ｔｘ１−、Ｒｘ１＋／Ｒｘ１−、Ｔｘ２＋／Ｔｘ２−、Ｒｘ２＋／Ｒｘ２−を例示することができる（図４参照）。
【００２７】
以上により、レセプタクルコネクタ４の端子群と、プラグコネクタ２２の端子群との接続状態に応じて、電子機器１０の表面が、卓上ホルダ２０の正面側に向いている状態か、または卓上ホルダ２０の背面側に向いている状態かを判別することができる。
【００２８】
また、面判定部４１は、所定の検知装置の検知結果を参照して、電子機器１０の表面が、卓上ホルダ２０の正面側に向いている状態か、または卓上ホルダ２０の背面側に向いている状態かを判別しても良い。
【００２９】
例えば、表カメラ１４、裏カメラ６、近接・照度センサ１３等で卓上ホルダ２０の背面側に電子機器１０の表面が近接しているかどうかを判別することが考えられる。
【００３０】
以上により、検知装置の検知結果に応じて、電子機器１０の表面が、卓上ホルダ２０の正面側に向いている状態か、または卓上ホルダ２０の背面側に向いている状態かを判別することができる。
【００３１】
モード切替部４２は、電子機器１０の表面が、卓上ホルダ２０の正面側に向いている状態のとき、電子機器１０に第１の機能を発揮させる。一方、モード切替部４２は、電子機器１０の表面が、卓上ホルダ２０の背面側に向いている状態のとき、電子機器１０に第２の機能を発揮させる。以上により、卓上ホルダ２０に対する電子機器１０の装着態様を変えるだけで、容易にユーザに所望の機能を選択させることができる。
【００３２】
ここで、第１の機能には、通常の通話機能、メール機能、ゲームなどの携帯アプリなどの携帯電話の一般的な機能が想定される。一方、第２の機能には、人体の在不在・移動の検出機能、カメラによる高齢者見守りおよび来客撮影機能、ならびに後見人への状況連絡発信機能、緊急時にワンボタンで緊急連絡を発信する機能など高齢者の見守り機能が想定される。
【００３３】
レセプタクルコネクタ４は、Ｔｙｐｅ−Ｃのコネクタであり、卓上ホルダ２０のＴｙｐｅ−Ｃのプラグコネクタ２２と接続したＣＣ端子からの電気信号は、面判定部４１に入力される。
【００３４】
面判定部４１ではＣＣ端子の電圧から判定された内容に基づき生成したデータをモード切替部４２に送信する。モード切替部４２は、上記データを受け取り、コネクタが接続状態であること、電子機器１０が卓上ホルダ２０にどちらの面で装着されたかを、予め記憶装置３に記録したデータと比較して判断し、第１の機能である電話のモードか、第２の機能である見守りのモードかを選択する。
【００３５】
電子機器１０のレセプタクルコネクタ４に接続するプラグコネクタ２２を具備する卓上ホルダ２０において、卓上ホルダ２０に電子機器１０を装着する際、ユーザはその外観から電子機器１０の向きを容易に判別することができる。すなわち、ユーザは、装着時の電子機器１０の向きが卓上ホルダ２０の正面側に対して表面であるか裏面であるかを明示的に判断することができる。
【００３６】
加えて、卓上ホルダ２０とそれに電源を供給するＡＣ充電器３０は相互に接続、設置後は接続面を変更されることが少ないことから、一度、卓上ホルダ２０と電子機器１０を接続しその状態を記憶、次回から、記憶した状態と照らし合わせることで解決する。これにより、表面用の第１の機能、裏面用の第２の機能を動作させることが可能になる。
【００３７】
〔卓上ホルダに電子機器を装着するときの状態〕
次に、図２に基づき、卓上ホルダ２０に電子機器１０を装着するときの状態について説明する。
【００３８】
図２の（ａ）に示すように、Ｔｙｐｅ−Ｃのコネクタを使用する電子機器１０とその卓上ホルダ２０においてはコネクタがリバーシブルであるので、電子機器１０の接続面（図の場合は下面）の中心にプラグコネクタ２２を配置すると電子機器１０の表裏両面で卓上ホルダ２０に装着可能とすることができる。
【００３９】
図２の（ｂ）は、電子機器１０の表面が、卓上ホルダ２０の正面側に向いている状態を示している。一方、図２の（ｃ）は、電子機器１０の表面が、卓上ホルダ２０の背面側に向いている状態を示している。
【００４０】
〔第１の機能・第２の機能の配分について〕
近年、スマートホンの大画面化により端末が具備するセンサ、表示部、操作部等の全てを表面側に配置することができなくなってきている。
【００４１】
そこで第１の機能、例えば電話の機能に必要な部分は電子機器１０の表面に配置し、第２の機能、例えば高齢者の見守り機能に必要なセンサや操作部を電子機器１０の裏面に配置する。
【００４２】
例えば、図３の（ｂ）に示すように、第１の機能に係る近接・照度センサ１３、表カメラ１４、物理操作キー表面１５、およびレシーバ１７などは、電子機器１０の表面に配置されている。
【００４３】
一方、図３の（ｄ）に示すように、第２の機能に係る焦電型赤外線センサ５、裏カメラ６、物理操作キー裏面７、およびスピーカ９などは、電子機器１０の裏面に配置されている。なお、図３の（ａ）に示す電子機器１０の上側面には、上マイク８が配置され、図３の（ｃ）に示す電子機器１０の下側面には、レセプタクルコネクタ４および下マイク１６が配置されている。
【００４４】
電子機器１０は、通常の携帯電話の機能の他に通常具備する無線回線によるデータ通信、カメラ撮影、投光、音楽再生等に人体検出や緊急呼び出し操作キーの付加などにより高齢者等の見守り機能およびサービスを提供することが可能になっている。
【００４５】
電子機器１０の表示装置１１の大画面化により、付加された機能に必要なセンサ、操作キー等の全てを電子機器１０の表面に配置することは困難であるため、裏面に配置することにより解決している。
【００４６】
〔電子機器１０の表面および裏面の判別原理〕
近年、携帯用の電子機器には種々のインターフェースが装備され、電子機器間の電力の供給および／またはデータの交換を可能にしている。このようなインターフェースの一つに、ユニバーサル・シリアル・バス（ＵＳＢ）があり、このＵＳＢは例えば携帯電話、ノートパソコン、タブレット端末、ＰＤＡ等のような多くのタイプの装置間に使用することができる。
【００４７】
また、同インターフェースは、例えばオーディオヘッドセット、ＡＣ充電器、予備のバッテリーパック、キーパッド、ドッキングステーションなどの周辺機器にも使用できる。ＵＳＢ  Ｔｙｐｅ−Ｃ規格およびそのコネクタもその一つであり、この規格では、多くのデータ通信標準規格（例えば、ＵＳＢ２．０、ＵＳＢ３．０、ＵＳＢ３．１、およびこれら規格のあらゆる将来型）に準じて通信することを可能にするとともに、上下左右対称な形状および端子配置を採用し、コネクタの挿し込み口がリバーシブルになり、どちらの向きでも挿し込むことができるような設計により利便性を高めている。
【００４８】
このようなリバーシブルコネクタのインターフェースの一例として、ＵＳＢのＴｙｐｅ−Ｃ規格に準ずるコネクタがある。図４の（ａ）に示すように、この規格によるプラグコネクタ２２は、表面・裏面の判定を可能にするコンフィグレーションチャンネル端子（ＣＣ端子：Ａ５端子）を持つ。
【００４９】
また、図４の（ｂ）に示すようにレセプタクルコネクタ４は、Ａ面側にＣＣ１端子（Ａ５端子）、Ｂ面側にＣＣ２端子（Ｂ５端子）を有している。
【００５０】
プラグコネクタ２２側はＡ面にのみＣＣ端子を持つので、図５の（ａ）および（ｂ）に示すように、このＣＣ端子が、レセプタクルコネクタ４側のＣＣ１端子およびＣＣ２端子のどちらに接続されたかを確認することでコネクタの面を判別することができる。
【００５１】
〔電子機器の裏面の機能の有効無効の設定入力〕
次に、図６に示すフローチャートにも基づき、電子機器１０の裏面の機能の有効無効の設定入力の動作の流れについて説明する。電子機器１０の裏面の機能を使用しないユーザも存在するため、機能設定メニュー等により裏面の機能を有効にするかどうかを設定入力する。
【００５２】
ステップＳ（以下、「ステップ」を省略する）１０１にて設定メニューを開始し、Ｓ１０２に進む。Ｓ１０２では、表示装置１１に「裏面機能を有効にしますか？」と表示させて、Ｓ１０３に進む。
【００５３】
Ｓ１０３では、裏面機能を有効にする場合（ＹＥＳ）、ユーザはその旨を指示し、Ｓ１０４に進む。一方、裏面機能を無効にする場合（ＮＯ）ユーザはその旨を指示し、Ｓ１０５に進む。
【００５４】
Ｓ１０４では、制御装置１が裏面機能を有効に設定し、Ｓ１０６に進む。一方、Ｓ１０５では、制御装置１が裏面機能を無効に設定し、Ｓ１０６に進む。
【００５５】
〔電子機器の面設定の手続き〕
次に、図７のフローチャートに基づき、電子機器１０を卓上ホルダに装着して電子機器の表面または裏面の機能を設定するときの流れについて説明する。
【００５６】
Ｓ２０１では、電子機器１０のレセプタクルコネクタ４を、卓上ホルダ２０のプラグコネクタ２２に接続して、Ｓ２０２に進む。Ｓ２０２では、面設定手続きを開始し、Ｓ２０３に進む。
【００５７】
Ｓ２０３では、面判定部４１がレセプタクルコネクタ４のＡ面側ＣＣ端子、Ｂ面側ＣＣ端子のいずれにプラグコネクタ２２のＣＣ端子が接続されたかにより、接続面を確認し、Ｓ２０４に進む。Ｓ２０４では、ユーザが表面の確認入力を行う。その結果、Ｓ２０５で、電子機器１０の表面が卓上ホルダ２０の正面側に向いている場合（ＹＥＳ）、Ｓ２０６に進む。
【００５８】
一方、Ｓ２０５で、電子機器１０の表面が卓上ホルダ２０の背面側に向いている場合（ＮＯ）、Ｓ２０７に進む。
【００５９】
Ｓ２０６では、制御装置１が現在の接続状況を表面に設定する。具体的には、制御装置１は、記憶装置３に、電子機器１０の表面が卓上ホルダ２０の正面側に向いている状態と上記第１の機能に係る情報とを対応付けて記憶させて、Ｓ２０８に進む。
【００６０】
Ｓ２０７では、制御装置１が現在の接続状況を裏面に設定する。具体的には、制御装置１は、記憶装置３に、電子機器１０の表面が卓上ホルダ２０の背面側に向いている状態と上記第２の機能に係る情報とを対応付けて記録させて、Ｓ２０８に進む。
【００６１】
Ｓ２０８では、制御装置１が面設定の有無を「有」に設定し、Ｓ２０９に進み、設定手続きを完了する。
【００６２】
以上の面設定の手続きによれば、電子機器１０の表面が卓上ホルダ２０の正面側に向いている状態の場合に、第１の機能（通常の電話の機能）を発揮させ、電子機器１０の表面が卓上ホルダ２０の背面側に向いている状態の場合に、第２の機能（高齢者の見守り機能）を発揮させることが可能になる。
【００６３】
〔電子機器を卓上ホルダに装着したときの動作〕
次に、図８のフローチャートに基づき、電子機器１０を卓上ホルダに装着したときの動作の流れについて説明する。
【００６４】
上記の設定手続きを完了すると次回より卓上ホルダ２０の接続時にＴｙｐｅ−ＣコネクタのＣＣ端子の状態を確認し、コネクタの接続面を認識し、卓上ホルダ２０の正面側が、電子機器１０の表面側のときは第１の機能を発揮させ、卓上ホルダ２０の正面側が、電子機器１０の裏面側のときは第２の機能を発揮させることができる。
【００６５】
まず、電子機器１０に卓上ホルダ２０を接続して、フロー開始となる。Ｓ３０１では、面判定部４１が、コネクタの接続面を確認し、Ｓ３０２に進む。
【００６６】
Ｓ３０２では、制御装置１が、面設定の有無を確認する。この結果、面設定「有」の場合は、Ｓ３０４に進む。一方、面設定「無」の場合、Ｓ３０３に進む。
【００６７】
Ｓ３０３では、図７のフローで説明した面設定手続きを行い、設定手続きが完了したら、Ｓ３０４に進む。
【００６８】
Ｓ３０４では、面判定部４１が、コネクタの接続面を、記憶装置３に記憶されているデータと照合する。この結果、卓上ホルダ２０の正面側が、電子機器１０の表面側のときは、Ｓ３０５に進み、モード切替部４２は、電子機器１０のモードを通常モ−ド（第１の機能に対応）に設定し、電子機器１０を動作させてＳ３０７に進む。
【００６９】
一方、Ｓ３０４の結果、卓上ホルダ２０の正面側が、電子機器１０の裏面側のときは、Ｓ３０６に進み、モード切替部４２は、電子機器１０のモードを見守りモード（第２の機能に対応）に設定し、電子機器１０を動作させてＳ３０７に進む。Ｓ３０７では、制御装置１は、充電を開始させる。
【００７０】
〔ソフトウェアによる実現例〕
電子機器１０の制御装置１の制御ブロック（特に面判定部４１およびモード切替部４２）は、集積回路（ＩＣチップ）等に形成された論理回路（ハードウェア）によって実現してもよいし、ソフトウェアによって実現してもよい。
【００７１】
後者の場合、制御装置１は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００７２】
〔まとめ〕
本発明の態様１に係る電子機器は、ホルダに設けられたリバーシブルなプラグコネクタに接続されるリバーシブルなレセプタクルコネクタ、および制御装置を備えた電子機器であって、制御装置は、上記レセプタクルコネクタが上記プラグコネクタに接続された場合に、上記電子機器の表面が、上記ホルダの正面側に向いている状態か、または上記ホルダの背面側に向いている状態かを検知し、上記電子機器の表面が上記ホルダの正面側に向いている状態のとき、上記電子機器に第１の機能を発揮させ、上記電子機器の表面が上記ホルダの背面側に向いている状態のとき、上記電子機器に第２の機能を発揮させる構成である。
【００７３】
電子機器のリバーシブルコネクタに接続するプラグコネクタを備えるホルダにおいて、ホルダに電子機器を装着する際、ユーザは電子機器の外観から電子機器の装着時の方向が表面であるか裏面であるかを容易に判断することができる。
【００７４】
このため、ユーザが電子機器に第１の機能を発揮させたい場合は、電子機器の表面が、上記ホルダの正面側に向いている状態となるように、ホルダに電子機器を装着すれば良い。一方、ユーザが電子機器に第２の機能を発揮させたい場合は、電子機器の表面が、上記ホルダの背面側に向いている状態となるように、ホルダに電子機器を装着すれば良い。以上により、上記構成によれば、ホルダに対する電子機器の装着態様を変えるだけで、容易にユーザに所望の機能を選択させることができる。
【００７５】
本発明の態様２に係る電子機器は、上記態様１において、上記制御装置は、上記レセプタクルコネクタの端子群と、上記プラグコネクタの端子群との接続状態を参照して、上記電子機器の表面が、上記ホルダの正面側に向いている状態か、または上記ホルダの背面側に向いている状態かを判別しても良い。上記構成によれば、レセプタクルコネクタの端子群と、プラグコネクタの端子群との接続状態に応じて、電子機器の表面が、ホルダの正面側に向いている状態か、またはホルダの背面側に向いている状態かを判別することができる。
【００７６】
本発明の態様３に係る電子機器は、上記態様１において、上記電子機器は、上記電子機器の表面が、上記ホルダの正面側に向いている状態か、または上記ホルダの背面側に向いている状態かを検知する検知装置を備えており、上記制御装置は、上記検知装置の検知結果を参照して、上記電子機器の表面が、上記ホルダの正面側に向いている状態か、または上記ホルダの背面側に向いている状態かを判別しても良い。上記構成によれば、検知装置の検知結果に応じて、電子機器の表面が、ホルダの正面側に向いている状態か、またはホルダの背面側に向いている状態かを判別することができる。
【００７７】
本発明の態様４に係る電子機器は、上記態様１〜３の何れかにおいて、上記電子機器が記憶部を備えており、上記制御装置は、上記レセプタクルコネクタが上記プラグコネクタに接続された場合に、上記記憶部に、上記電子機器の表面が上記ホルダの正面側に向いている状態と上記第１の機能に係る情報とを対応付けて記憶させ、上記電子機器の表面が上記ホルダの背面側に向いている状態と上記第２の機能に係る情報とを対応付けて記録させても良い。上記構成によれば、電子機器の表面がホルダの正面側に向いている状態の場合に、第１の機能を発揮させ、電子機器の表面がホルダの背面側に向いている状態の場合に、第２の機能を発揮させることが可能になる。
【００７８】
本発明の態様５に係る電子機器の機能切替システムは、上記態様１〜４の何れかの電子機器と、上記ホルダとを含んでいる。上記構成によれば、上記態様１と同様の効果を得ることができる。
【００７９】
本発明の態様６に係る電子機器の制御装置は、ホルダに設けられたリバーシブルなプラグコネクタに接続されるリバーシブルなレセプタクルコネクタを備えた電子機器の制御装置であって、上記レセプタクルコネクタが上記プラグコネクタに接続された場合に、上記電子機器の表面が、上記ホルダの正面側に向いている状態か、または上記ホルダの背面側に向いている状態かを検知する状態検知部と、上記電子機器の表面が上記ホルダの正面側に向いている状態のとき、上記電子機器に第１の機能を発揮させ、上記電子機器の表面が上記ホルダの背面側に向いている状態のとき、上記電子機器に第２の機能を発揮させる機能切替部と、を備える構成である。上記構成によれば、上記態様１と同様の効果を得ることができる。
【００８０】
本発明の各態様に係る電子機器の制御装置は、コンピュータによって実現してもよく、この場合には、コンピュータを上記制御装置が備える各部（ソフトウェア要素）として動作させることにより上記制御装置をコンピュータにて実現させる制御装置の制御プログラム、およびそれを記録したコンピュータ読み取り可能な記録媒体も、本発明の範疇に入る。
【００８１】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８２】
１  制御装置
２  無線通信装置
３  記憶装置
４  レセプタクルコネクタ
５  焦電型赤外線センサ
６  裏カメラ
７  物理操作キー裏面
８  上マイク
９  スピーカ
１０  電子機器
１１  表示装置
１１ａ  ディスプレイ
１１ｂ  タッチパネル
１２  電源装置
１３  近接・照度センサ
１４  表カメラ
１５  物理操作キー表面
１６  下マイク
１７  レシーバ
１８  音声処理装置
２０  卓上ホルダ（ホルダ）
２２  プラグコネクタ
３０  ＡＣ充電器
４１  面判定部（状態検知部）
４２  モード切替部（機能切替部）
１００  機能切替システム
【図１】
2020065405.tif 000003
【図２】
2020065405.tif 000004
【図３】
2020065405.tif 000005
【図４】
2020065405.tif 000006
【図５】
2020065405.tif 000007
【図６】
2020065405.tif 000008
【図７】
2020065405.tif 000009
【図８】
2020065405.tif 000010